(57)【要約】【課題】  アナログポートであるＶＧＡポートと、デジタルポートであるネットワークポートを相互の信号干渉を起こすことなく一緒に同一の筐体内に納め、小型で携帯に便利な中継用アダプタを提供すること。【解決手段】  コンピュータ本体側に接続させる接続コネクタ５を一端に設けたケーブル４と、このケーブル４の他端を接続させる本体とを備えた中継用アダプタ１であって、上記本体の周囲に機能の異なる複数のポート（ＶＧＡポート１ａ、ネットワークポート１ｂ）を設け、これらポート１ａ、１ｂは本体の筐体８内で折り曲げられたフレキシブル配線板１２に形成された回路に接続されている。【選択図】        図６
2005165846.tif 000002
【特許請求の範囲】
【請求項１】
コンピュータ本体側に接続させる接続コネクタを一端に設けたケーブルと、該ケーブルの他端を接続させる本体とを備えた中継用アダプタであって、
前記本体の周囲に機能の異なる複数のポートを設けた
ことを特徴とする中継用アダプタ。
【請求項２】
前記ポートは、少なくともアナログ信号を送受信するためのアナログポートと、デジタル信号を送受信するためのデジタルポートである
ことを特徴とする請求項１に記載の中継用アダプタ。  
【請求項３】
前記デジタルポートは、前記本体に前記ケーブルが接続される側面と反対側の側面に設けられる
ことを特徴とする請求項２に記載の中継用アダプタ。
【請求項４】
前記アナログポートは、前記本体の前記ケーブルが接続される側面に対して直交する方向の側面に設けられる
ことを特徴とする請求項２に記載の中継用アダプタ。
【請求項５】
前記アナログポートに接続されるアナログ回路と、前記デジタルポートに接続されるデジタル回路は、前記本体内で折り曲げられたフレキシブル配線板に形成されている
ことを特徴とする請求項２に記載の中継用アダプタ。
【請求項６】
前記アナログポートは、前記フレキシブル配線板に直接実装されて前記アナログ回路に接続している
ことを特徴とする請求項５に記載の中継用アダプタ。
【請求項７】
前記デジタルポートは、前記フレキシブル配線板に実装されたコネクタと、該コネクタに接続されるデジタル用ケーブルとを介して前記デジタル回路に接続している
ことを特徴とする請求項５に記載の中継用アダプタ。
【発明の詳細な説明】
【技術分野】
【０００１】
本発明は、機能の異なる複数のポートが設けられた中継用アダプタに関し、特にノートブック型コンピュータ等の携帯可能な小型電子機器に用いて好適な中継用アダプタに関する。更に詳しくは、複数のポート間での信号干渉を抑えるべく配線基板の大きさは確保しつつも、全体としての小型化を図った中継用アダプタに関する。
【背景技術】
【０００２】
従来のノートブック型コンピュータに用いるＩ／Ｏ（Input-Output）ポートとして、例えば、使用者がノートブック型コンピュータを各種の周辺装置に素早く接続することができるようにしたものが特許文献１に開示されている。
【特許文献１】登録実用新案第３０４８０４４号公報
【０００３】
図９は特許文献１に開示された構成を示す。図９において、ノートブック型コンピュータ５０の本体５１の背面側には凹部を有する収納空間５２が形成されている。この収納空間５２の内側壁には本体５１内にある図示しないマザーボードと接続する接続ソケット５３が取り付けられ、収納空間５２内にはＩ／Ｏモジュール６０が挿入できるようになっている。
【０００４】
このＩ／Ｏモジュール６０は箱体状を呈し、その底板６１の内側には回路板６２が設けられている。Ｉ／Ｏモジュール６０の後板６４には接続プラグ６３が取り付けられ、この接続プラグ６３は、本体５１の収納空間５２の内側壁に取り付けられた接続ソケット５３に対応する位置にある。この接続プラグ６３は、Ｉ／Ｏモジュール６０を接続ソケット５３と電気的に接続するためのものである。
【０００５】
Ｉ／Ｏモジュール６０の前板７５には、外部へそれぞれ突出する数種のプラグ７０が取り付けられている。この数種のプラグ７０は、回路板６２における配線及びＩＣ部品などによって接続プラグ６３にそれぞれ接続されている。数種のプラグ７０は、例えば、３つのスピーカ用プラグ７１、１つのＶＧＡ（Video Graphics Array）ポート７２、１つのゲームポート７３、及び１つのプリンタポート７４等である。
【０００６】
上述のように構成されるノートブック型コンピュータ５０に対し、例えば、周辺装置との間で信号転送の動作を行わせようとする場合、使用者は、Ｉ／Ｏモジュール６０を本体５１の収納空間５２内に挿入する。すると、接続プラグ６３は、収納空間５２の内側壁に取り付けられた接続ソケット５３に接続される。接続プラグ６３は、回路板６２に形成された配線によって前板７５に取り付けられた数種のプラグ７０と接続されている。したがって、収納空間５２内へのＩ／Ｏモジュール６０の挿入によって、ノートブック型コンピュータ５０は、接続ソケット５３、接続プラグ６３、数種のプラグ７０を介して周辺装置に素早く接続されることになる。
【発明の開示】
【発明が解決しようとする課題】
【０００７】
上述の図９のＩ／Ｏモジュール６０によると、携帯時に大きな筺体からなるＩ／Ｏモジュール６０を持ち歩かなければならない。また、例えば、アナログポートとデジタルポートとを一つの中継用アダプタに具備させる場合には、複数の異なる方式の信号品質を保つために、それらポートが接続されるアナログ回路とデジタル回路とを密集させて配線基板上に形成できず、両回路をある程度離して配線基板上に配線する必要がある。したがって、配線基板としてはある程度の大きさが必要であり、結果としてこれを内蔵する中継用アダプタの小型化の妨げになってしまう。
【０００８】
本発明は上述の問題に鑑みてなされ、機能の異なる複数のポートを一つの中継用アダプタに具備させつつも小型化を実現させる中継用アダプタを提供することを目的とする。また本発明の他の目的は、従来、小さな筐体に一緒に設けることが信号品質の点から困難であったアナログポートとデジタルポートとを、これら間の信号の相互干渉を抑制すべくある程度の配線面積は確保しつつも、中継用アダプタ全体としての小型化は妨げないようにすることである。
【課題を解決するための手段】
【０００９】
本発明の請求項１に係る中継用アダプタは、コンピュータ本体側に接続させる接続コネクタを一端に設けたケーブルと、このケーブルの他端を接続させる本体とを備え、その本体の周囲に機能の異なる複数のポートを設けたことを特徴としている。
【００１０】
上記本体の周囲とは、図９に示す従来例のように本体の１つの側面だけでなく、少なくとも２つの側面を示す。すなわち、本発明では本体の１側面に複数のポートを集中させておらず、複数の側面を有効利用して複数のポートを配置させている。これにより、デッドスペース（無駄なスペース）をなくせ、その分、本体の小型化が図れる。
【００１１】
このように、小型な本体に機能の異なるポートがあることから利便性に富むと共に、持ち運びやすい。また、１つの側面に複数のポートが集中していないことから誤ったポートを接続してしまうなどのわずらわしさを解消できる。また、近年のノートブック型コンピュータの小型化に鑑みて、中継アダプタというアクセサリ製品についてもいかに小型化を図るかということが強く要望されており、その要望を満足できる。例えばノートブック型コンピュータの小型化に伴って専用の収納ケースも小型化され、このため収納ケース内における中継アダプタなどのアクセサリ製品の収納スペースも小さくすることが必要であるが、これを満足させることができる。
【００１２】
本発明の請求項２に係る中継用アダプタでは、複数のポートは、少なくともアナログ信号を送受信するためのアナログポートと、デジタル信号を送受信するようにしたデジタルポートであることを特徴としている。
【００１３】
請求項２に係る発明によれば、これまでアナログポートを有するアダプタと、デジタルポートを有するアダプタは、別製品であったため、使用者は必要に応じてノートブック型コンピュータに対して接続し直しが要求されていたが、このようなわずらわしい接続し直しをすることなく、アナログ信号であるか、デジタル信号であるかを問わず、簡易かつ迅速に外部装置との接続を行うことができる。
【００１４】
アナログポートは、例えばＶＧＡ（Video Graphics Array）ポートである。ＶＧＡポートは、従来、アナログ信号を扱うことから、どうしてもデジタル信号を送受信するためのデジタルポートと別構成とされることが多かったが、これを同一の中継アダプタに実装できることでユーザの利便性を飛躍的に向上させることができる。
【００１５】
また、近年、外部装置（周辺装置）としてのプロジェクターをノートブック型コンピュータに接続させる機会が増えているが、これを一つの中継アダプタで接続させることができるので、ノートブック型コンピュータを使ってプレゼンテーションなどを行うような使用者にとってその利便性を飛躍的に向上させることができる。
【００１６】
デジタルポートは例えば通信用のネットワークポートである。ノートブック型コンピュータをＬＡＮ（Local Area Network）あるいはインターネットに接続させる場合に、中継アダプタを接続し直すことなく、簡易かつ迅速に接続することができ、それだけ使用者の利便性を向上させることができる。
【００１７】
本発明の請求項３に係る中継用アダプタのデジタルポートは、本体にケーブルが接続される側面と反対側の側面に形成させたものである。
【００１８】
この請求項３の構成をとることで、中継用アダプタと、例えばノートブック型コンピュータとを接続するケーブルの延在方向と、例えば中継用アダプタに対してＬＡＮケーブル等が抜き差しされる方向とを略同じ方向とできる。特に可搬して用いられることの多いノートブック型コンピュータにおいて、ネットワークポートには頻繁にＬＡＮケーブル等が抜き差しされる機会が多いので、上記ケーブルの延在方向とＬＡＮケーブル等が抜き差しされる方向とが略同じ方向であれば、中継用アダプタの本体を手で押さえなくても上記ＬＡＮケーブル等の抜き差しを片手で行え、使用者の利便性が高い。
【００１９】
本発明の請求項４に係る中継用アダプタのアナログポートは、本体のケーブルが接続される側面に対して直交する方向の側面に形成させたものである。
【００２０】
小型化を推し進めるには、本体のケーブルが接続される側面の寸法は、ケーブルを導出するために必要な最小限の面積に抑えたいという要望がある。これにより、必然的にそのケーブル導出用の側面に対向する側面も面積が小さめとなる。したがって、比較的面積を要する例えばＶＧＡポートなどのアナログポートは、ケーブル導出用の側面に直交する側面に設ける方が、中継用アダプタ本体を小型化するにあたって最適なポート設置レイアウトとすることができる。
【００２１】
本発明の請求項５に係る中継用アダプタは、アナログポートに接続されるアナログ回路と、デジタルポートに接続されるデジタル回路とを、本体内で折り曲げられたフレキシブル配線板に形成させたものである。
【００２２】
請求項５に係る発明によれば、アナログ回路とデジタル回路との相互干渉を回避するべく配線基板の面積を大きくしても折り曲げることで小型な本体内に収容できる。
【００２３】
本発明の請求項６に係る中継用アダプタは、アナログポートを、フレキシブル配線板に直接実装させてアナログ回路に接続させたものである。
【００２４】
請求項６に係る発明によれば、アナログ回路とアナログポートとの間の信号伝送路を短くでき、デジタル信号に比べてノイズに弱いアナログ信号の良好な信号品質を保てる。また、アナログポートは、可撓性を有するフレキシブル配線板に実装されるので、アナログポートに対して外部装置の接続コネクタを抜き差しする際に、アナログポートの実装部（例えばはんだ接合部）やフレキシブル配線板に作用する衝撃を緩和できる。
【００２５】
本発明の請求項７に係る中継用アダプタは、デジタルポートを、フレキシブル配線板に実装されたコネクタと、このコネクタに接続されるデジタル用ケーブルとを介してデジタル回路に接続させたものである。
【００２６】
請求項７に係る発明によれば、デジタルポートを直接フレキシブル配線板に実装しないので、その分、フレキシブル配線板上の実装面積を小さくできフレキシブル配線板を小型化できる。また、フレキシブル配線板を折り曲げた際の体積増大もきたさない。デジタル信号はアナログ信号に比べてノイズに強いので、デジタルポートと、フレキシブル配線板上のデジタル回路との信号伝送路が多少長くなっても良好な信号品質は保てる。また、デジタルポートに対して外部装置やネットワークの接続コネクタを抜き差しする際に作用する衝撃を、可撓性を有する上記デジタル用ケーブルにて緩和でき、フレキシブル配線板やこれに実装された上記コネクタの実装部（例えばはんだ接合部）を、上記抜き差しの際の衝撃から保護できる。
【発明の効果】
【００２７】
本発明の中継用アダプタによれば、本体の１つの側面に複数のポートを集中させておらず、本体の周囲に複数のポートを分けて設けたので、信号の相互干渉を抑えつつ小型化を図れる。また、ポートの識別性も向上する。
【発明を実施するための最良の形態】
【００２８】
以下、本発明の１形態例を示す中継用アダプタを図１乃至図８を用いて詳記する。図１、図４は中継用アダプタの接続系統図を、図２は同中継用アダプタに組み込まれるフレキシブル配線板の折り曲げられた状態の側面図を、図３は同フレキシブル配線板の展開した状態の平面図を、図５、図６は中継用アダプタの分解状態を示す斜視図を、図７、図８は中継用アダプタの外観図を示す。
【００２９】
図１に示すように、中継用アダプタ１は、アナログポートとして例えばＶＧＡ（Video Graphics Array）ポート１ａと、デジタルポートとして例えばネットワークポート１ｂを本体に具備し、本体から導出されるケーブル４の一端には接続コネクタ（例えば接続プラグ(又はソケット)）５が設けられている。この接続コネクタ５はノートブック型コンピュータ３に設けられた接続コネクタ（例えば接続ソケット(又はプラグ)）６に嵌合可能である。ネットワークポート１ｂは、インターネットやＬＡＮなどの各種ネットワーク２に接続可能である。ＶＧＡポート１ａの出力端は、例えば解像度が６４０×４８０ドット程度のモニタ７に接続可能である。
【００３０】
ノートブック型コンピュータ３内には、メインコンピュータ（ＣＰＵ（Central Processing Unit））３ａと、これと接続されたメモリコントローラハブ（ＭＣＨ(Memory Controller Hub)）３ｂと、バスを介してメモリコントローラハブ３ｂと接続されたグラフィックコントローラ３ｃ及びネットワークコントローラ３ｄが設けられている。グラフィックコントローラ３ｃ及びネットワークコントローラ３ｄの出力端は、接続ソケット６を介して、ノートブック型コンピュータ３外部の中継用アダプタ１に接続される。
【００３１】
また、図１０に示すように、従来では、ネットワークコントローラ５４及びマグネティックモジュール５５はノートブック型コンピュータ５０内に配設され、中継用アダプタ１を介してノートブック型コンピュータ５０はネットワーク２と接続されていた。ネットワーク２は、中継用アダプタ１に設けられたＲＪ４５（Registered Jack 45）コネクタ７０に接続される。
【００３２】
これに対して、本実施形態では、マグネティックモジュール５５を、図４に示すように中継用アダプタ１の本体の筐体８内に配設している。マグネティックモジュール５５は、同じく中継用アダプタ１の本体の筐体８内に配設されたＲＪ４５（Registered Jack 45）コネクタ１７０を介してネットワーク２と接続される。
【００３３】
このように構成することで雷サージ対策用に要求される周辺ＩＣ等の部品との間に広い間隔を取らなければならないと云うマグネティックモジュール５５の設置条件がノートブック型コンピュータ３の配線基板から除かれるため、ノートブック型コンピュータ３側の小型化を図ることが可能となる。
【００３４】
次に、図２、図３、図５〜図８を参照して、中継用アダプタ１の構造を説明する。
【００３５】
図２は配線基板１２が中継用アダプタ１本体の筐体８内に収容される状態である折り曲げられた状態を示す側面図、図３は配線基板１２を開いた状態の概略的な平面図、図５は配線基板１２を開いた状態の概略的な斜視図、図６は筐体８のカバーを取り外した状態を示す斜視図、図７、８は中継用アダプタの全体を示す外観斜視図である。
【００３６】
図７、８に示されるように、中継用アダプタ１本体の筐体８は略長方形状の箱型に形成した例えばマグネシウムからなる。もちろん、マグネシウムに限ることなく、その他金属や合成樹脂から構成してもよい。ただし、導電性を有する材料から構成すればこの中継用アダプタ１のグランドとして機能する広い導体面を得ることができる。
【００３７】
短尺方向に沿った２つの側面のうち一方の側面（図８において右側面）からは穿孔を介してケーブル４が導出され、そのケーブル４の一端には例えば接続プラグ（あるいは接続ジャック等）の接続コネクタ５が接続されている。
【００３８】
ネットワークポート１ｂは、ケーブル４が導出される側面に対向する側面に配置されて筐体８から外部に露出している。ＶＧＡポート１ａは、ケーブル４が導出される側面及びネットワークポート１ｂが形成された側面に対して直交する方向の側面に配置されて筐体８から外部に露出している。
【００３９】
本実施形態では、筐体８の大きさは、図８に示すように、長さ５０ｍｍ、幅２１ｍｍの寸法のメモリカード１１と略同一の寸法で、高さは略１５ｍｍ以内に抑えられ、携帯に便利で小型、軽量化された中継用アダプタ１とすることができる。
【００４０】
中継用アダプタ１において、ＶＧＡポート１ａはアナログ信号を、ネットワークポート１ｂはデジタル信号を扱い、これら信号が互いに干渉しないように設計する場合、配線基板１２の大きさをある程度大きくする必要がある。そこで、本実施形態では図３及び図５に示したようにＶＧＡポート１ａとネットワークポート１ｂ用の配線基板１２としてフレキシブル配線板１２を用いて、図２に示すように、このフレキシブル配線板１２を立体的に折り曲げて利用することで上記したような小さな筐体８の容積内で互いに信号干渉しない構成とすることが可能となる。
【００４１】
フレキシブル配線板１２は、図３に示すように、広げた状態では略矩形状であり、例えば、長手方向の長さは約３０ｍｍであり、短手方向の長さは約２５ｍｍである。フレキシブル配線板１２は、２本の折り曲げ線（図３において破線で示す）１４ａ、１４ｂによって３つの部分１２ａ、１２ｂ、１２ｃに区分けされる。
【００４２】
それら３つの部分１２ａ、１２ｂ、１２ｃのうち真ん中に位置する部分１２ａには、ノートブック型コンピュータ３に接続するためのケーブル４が接続されるケーブル用コネクタ１３が実装されている。ケーブル４において、図７、８に示す接続コネクタ５が接続された一端の反対側の他端にはコネクタが接続され、そのコネクタが、図５に示すように、部分１２ａに実装されたケーブル用コネクタ１３に嵌合することでケーブル４とフレキシブル配線板１２とが接続される。
【００４３】
図３において折り曲げ線１４ａより左側の部分１２ｂにはＶＧＡポート１ａが実装されている。ＶＧＡポート１ａは、図３に示される面の反対面に実装されている。
【００４４】
図３において、折り曲げ線１４ｂより右側の部分における上端部寄りにはネットワーク接続用コネクタ１５が実装されている。このネットワーク接続用コネクタ１５と、上述したケーブル用コネクタ１３は、フレキシブル配線板１２において同じ面側に実装されている。
【００４５】
図３に示された１点鎖線を堺にアナログ回路とデジタル回路とが、相互の信号干渉を抑えるべく離間して形成されている。すなわち、ケーブル用コネクタ１３を堺に図３において左側には、ＶＧＡポート１ａが実装された部分１２ｂに向けてアナログ回路（図３において模式的に矢印で示す）ａが形成され、ＶＧＡポート１ａと接続している。
【００４６】
ケーブル用コネクタ１３を堺に図３において右側には、ネットワーク用接続コネクタ１５が実装された部分１２ｃに向けてデジタル回路（図３において模式的に矢印で示す）ｄが形成され、ネットワーク用接続コネクタ１５と接続している。
【００４７】
このように、アナログ回路ａとデジタル回路ｄとは、コンピュータ本体に接続されるケーブル用コネクタ１３を隔てて分けられた部分１２ｂ、１２ｃにそれぞれ形成され、相互に信号干渉を起こさないようにされている。
【００４８】
また、デジタル回路ｄが形成された部分１２ｃには、図５に示すように、上述した雷サージ対策用のマグネティックモジュール（例えばトランス）５５及び耐圧コンデンサ５６が実装されている。
【００４９】
マグネティックモジュール５５と耐圧コンデンサ５６は、ネットワーク用接続コネクタ１５とケーブル用コネクタ１３との間の信号伝達経路中に介在され、ネットワークを通じて侵入してくる雷サージ電流を規制し、ケーブル用コネクタ１３の先の経路、すなわちコンピュータ３に、上記雷サージ電流が流れるのを防止する。
【００５０】
ネットワークポート１ｂは、ＲＪ４５（Registered Jack 45）コネクタ１７０に設けられ、図７に示すように、ＲＪ４５コネクタ１７０の一側部から外部に露出している。そのＲＪ４５コネクタ７０は、図５、６に示すように、デジタル用ケーブル１６と、このデジタル用ケーブル１６の一端に接続されたコネクタ１７と、フレキシブル配線板１２の部分１２ｃに実装されたネットワーク接続用コネクタ１５とを介して、フレキシブル配線板１２上のデジタル回路に接続している。コネクタ１７とネットワーク接続用コネクタ１５とは相互に嵌合される。
【００５１】
フレキシブル配線板１２は、図２に示すように、折り曲げ線１４ａ、１４ｂを境に矢印Ａ方向に折り曲げた状態で筐体８内に固定させることで図６に示すように広がりを抑えたコンパクトな状態で筐体８に収納可能となる。
【００５２】
フレキシブル配線板１２上において、アナログ回路ａとデジタル回路ｄとは、ケーブル用コネクタ１３の実装部分１２ａを挟んで離れており、互いの信号干渉を防ぐことが可能で、且つ、フレキシブル配線板１２を立体的に折り曲げることでその平面寸法を小さくした状態で筐体８内に納めることができる。すなわち、アナログ信号を扱うＶＧＡポート１ａと、デジタル信号を扱うネットワークポート１ｂとを相互の信号干渉を起こすことなく１つの筐体８から導出することができ、かつ、携帯可能で小型・軽量な中継用アダプタ１を提供可能となる。
【００５３】
また、ネットワークポート１ｂを設けたＲＪ４５コネクタ１７０を直接フレキシブル配線板１２に実装していないので、その分、フレキシブル配線板１２上の実装面積を小さくできフレキシブル配線板１２を小型化できる。また、フレキシブル配線板１２を折り曲げた際の体積増大もきたさない。デジタル信号はアナログ信号に比べてノイズに強いので、デジタルポートであるネットワークポート１ｂと、フレキシブル配線板１２上のデジタル回路との信号伝送路が多少長くなっても良好な信号品質は保てる。
【００５４】
また、ＶＧＡポート１ａは、可撓性を有するフレキシブル配線板１２に実装されるので、ＶＧＡポート１ａに対してモニタ７の接続コネクタを抜き差しする際に、ＶＧＡポート１ａのはんだ接合部やフレキシブル配線板１２に作用する衝撃を緩和できる。
【００５５】
ネットワークポート１ｂに対してネットワーク２の接続コネクタを抜き差しする際に作用する衝撃は、可撓性を有する上記デジタル用ケーブル１６にて緩和でき、フレキシブル配線板１２やこれに実装された上記コネクタ１５のはんだ接合部を、上記抜き差しの際の衝撃から保護できる。
【００５６】
また、ケーブル４に引張力が作用しても、図６に示すようにケーブル４に設けられたゴムリング４ａが筐体８の内壁部に引っかかることでケーブル４のフレキシブル配線板１２からの外れが規制される。
【産業上の利用可能性】
【００５７】
本発明は、前述した図面に示した実施の形態に限定されるものではなく、その範囲を逸脱しない範囲に種々の変形実施が可能であり、例えばノートブック型コンピュータはＰＤＡ（Personal Digital Assistant）等の個人用携帯端末装置、電子スチルカメラ、再生記録装置等の電子機器に適用可能である。
【図面の簡単な説明】
【００５８】
【図１】本発明の１形態例の中継用アダプタの接続系統図である。
【図２】同中継用アダプタに組み込まれるフレキシブル配線板の折り曲げられた状態の側面図である。
【図３】同フレキシブル配線板の展開した状態の平面図である。
【図４】同中継用アダプタの接続系統図である。
【図５】同中継用アダプタの分解状態を示す斜視図（その１）である。
【図６】同中継用アダプタの分解状態を示す斜視図（その２）である。
【図７】同中継用アダプタの外観図（その１）である。
【図８】同中継用アダプタの外観図（その２）である。
【図９】従来の中継用アダプタの斜視図である。
【図１０】従来の中継用アダプタの接続系統図である。
【符号の説明】
【００５９】
１…中継用アダプタ、１ａ…アナログポート（ＶＧＡポート）、１ｂ…デジタルポート（ネットワークポート）、２…ネットワーク、３…ノートブック型コンピュータ、４…ケーブル、５…接続コネクタ（接続プラグ）、６…接続ソケット、７…モニタ、８…筐体、１２…配線基板、１３…ケーブル用コネクタ、１５…ネットワーク用接続コネクタ、１６…デジタル用ケーブル、１７…ネットワーク用接続コネクタ、１７０…ＲＪ４５コネクタ。
【図１】
2005165846.tif 000003
【図２】
2005165846.tif 000004
【図３】
2005165846.tif 000005
【図４】
2005165846.tif 000006
【図５】
2005165846.tif 000007
【図６】
2005165846.tif 000008
【図７】
2005165846.tif 000009
【図８】
2005165846.tif 000010
【図９】
2005165846.tif 000011
【図１０】
2005165846.tif 000012